(57)【要約】【課題】照明装置において、簡単な構成で安全な光源交換と、光源交換時の光源の自動復帰とを可能にする照明装置及び点灯装置を提供する。【解決手段】照明装置１は、光源２と、点灯装置３と、給電線５と、可動構造体４、給電スイッチ３０と、を備えている。点灯装置３は電源１０から電力の供給を受けて、所定の電流に制御して、光源２に供給する電流制御部３２を備える。給電線５は点灯装置３の出力端から光源２に前記生成された電流を供給する。可動構造体４は光源２の交換の前後に前記光源２の交換に関連して位置を移動する。給電スイッチ３０は電源１０と前記電流制御部３２との間の給電電路に設置され、可動構造体４の動きと連動して給電電路を開閉する。【選択図】図１
2011216246.tif 000002
【特許請求の範囲】
【請求項１】
光源と、
電源から電力の供給を受けて、所定の電流に制御して、前記光源に供給する電流制御部を備えた点灯装置と、
前記点灯装置の出力端から前記光源に前記生成された電流を供給する電流通電手段と、
前記光源の交換の前後に前記光源の交換に関連して位置を移動する可動構造体と、
前記電源と前記電流制御部との間の給電電路に設置され、前記可動構造体の動きと連動して開閉する給電スイッチと、
を備えていることを特徴とする照明装置。
【請求項２】
前記可動構造体は、前記光源を収納したホルダであることを特徴とする請求項１に記載の照明装置。
【請求項３】
前記可動構造体は、前記光源の交換時に開閉される扉である、
ことを特徴とする請求項１に記載の照明装置。
【請求項４】
前記電流通電手段は、
前記電流制御部に装備された非接触給電部と、
前記光源に装備された非接触受電部と、
で構成されるとともに、
前記非接触給電部と非接触受電部との間の無線給電可能な距離が、前記光源が装着位置にあるときの前記非接触給電部と前記非接触受電部との間の距離よりも大きなものである、
ことを特徴とする請求項１乃至３のいずれか１項に記載の照明装置。
【請求項５】
前記光源は、発光素子で構成され、
前記電流制御部は、
前記出力端に接続された出力平滑用コンデンサと、
前記出力平滑用コンデンサに並列に接続された放電用回路と、
を備えることを特徴とする請求項１乃至４のいずれか１項に記載の照明装置。
【請求項６】
前記放電用回路は、抵抗素子である、
ことを特徴とする請求項５に記載の照明装置。
【請求項７】
電源から入力された電力に基づき所定の電流を生成する電流制御部を備えた点灯装置において、
前記電源と前記電流制御部との間の給電電路に設置された前記給電電路を開閉する給電スイッチを備え、
前記給電スイッチは、
前記点灯装置外に突き出た先端部を備え、前記先端部は、力が加えられると前記点灯装置内に入り込み、所定の距離入り込むことにより前記給電スイッチを閉状態にし、加えられた力がなくなると元の位置に戻ることにより前記給電スイッチを開状態にするように構成されている、
ことを特徴とする点灯装置。
【請求項８】
前記電流制御部は、
前記出力端に接続された出力平滑用コンデンサと、
前記出力平滑用コンデンサに並列に接続された放電回路と、
を備えたことを特徴とする請求項７に記載の点灯装置。
【発明の詳細な説明】
【技術分野】
【０００１】
本発明は、発光素子等で構成された光源を有する照明装置、および照明装置を構成し、光源への電流供給を制御する点灯装置に関する。
【背景技術】
【０００２】
ＬＥＤ（Ｌｉｇｈｔ  Ｅｍｉｔｔｉｎｇ  Ｄｉｏｄｅ）や有機ＥＬ（Ｅｌｅｃｔｒｏ  Ｌｕｍｉｎｅｓｃｅｎｃｅ）素子などの発光素子を光源とした照明装置が普及しつつある。特に、有機ＥＬ素子は省エネルギー特性を有するとともに、面発光光源を実現できるため次世代光源として期待されている。このような照明装置では発光素子の寿命に伴い光源を交換する必要がある。特に有機ＥＬ素子を使用した光源の場合、現状では素子寿命が１万時間程度と、ＬＥＤの４万時間よりも短いため、交換頻度は高くなる。
【０００３】
一方、発光素子で構成された光源を照明装置として使用するためには、光源に対して所定の電流を供給する点灯装置が必要となる。
【０００４】
照明装置の光源を交換する場合、作業者の安全性を考慮し、通常は、交換前に点灯装置をＯＦＦにして、交換完了時に点灯装置をＯＮにするという手順を採用している。また、光源交換時に点灯装置をＯＮの状態にして、光源を交換すると同時に自動で光源が点灯するという光源自動復帰の要望があり（特許文献１、２）、自動復帰の際の光源への過大電流を防止するための技術も提案されている。
【先行技術文献】
【特許文献】
【０００５】
【特許文献１】特開２００６−３０２５９９号公報
【特許文献２】特開２００８−１２６９５８号公報
【発明の概要】
【発明が解決しようとする課題】
【０００６】
光源交換の際、交換前、交換後に点灯装置をそれぞれＯＦＦにし、ＯＮにするという通常の方法では、点灯装置を一旦ＯＦＦにすることにより、光源を再接続したとき自動で光源が点灯するという、光源の自動復帰が実現できない。また、点灯装置をＯＦＦにし、その後ＯＮにするという手間がかかり、操作ミスにより作業者の感電の恐れもある。
【０００７】
光源の自動復帰を可能にするために、点灯装置をＯＮにしたまま光源の交換作業を行うと、作業者の感電の危険性が生じる。
【０００８】
特許文献１、特許文献２には光源交換の際の電源のＯＦＦ／ＯＮについての簡便な方法は開示されておらず、光源交換の自動復帰を担保しつつ作業の安全を図ることは困難である。
【０００９】
本発明の目的は、簡単な構成で光源交換時に作業者の感電の危険を回避できる照明装置及び点灯装置を提供することである。
【課題を解決するための手段】
【００１０】
本発明の第１の観点に係る照明装置は、
光源と、
電源から電力の供給を受けて、所定の電流に制御して、前記光源に供給する電流制御部を備えた点灯装置と、
前記点灯装置の出力端から前記光源に前記生成された電流を供給する電流通電手段と、
前記光源の交換の前後に前記光源の交換に関連して位置を移動する可動構造体と、
前記電源と前記電流制御部との間の給電電路に設置され、前記可動構造体の動きと連動して開閉する給電スイッチと、
を備えていることを特徴とする。
【００１１】
本発明の第２の観点に係る点灯装置は、
電源から入力された電力に基づき所定の電流を生成する電流制御部を備えた点灯装置において、
前記電源と前記電流制御部との間の給電電路に設置された前記給電電路を開閉する給電スイッチを備え、
前記給電スイッチは、
前記点灯装置外に突き出た先端部を備え、前記先端部は、力が加えられると前記点灯装置内に入り込み、所定の距離入り込むことにより前記給電スイッチを閉状態にし、加えられた力がなくなると元の位置に戻ることにより前記給電スイッチを開状態にするように構成されている、
ことを特徴とする。
【発明の効果】
【００１２】
本発明の照明装置、及び点灯装置によれば、光源交換時に作業者が行う光源への電流供給のＯＦＦ及びＯＮの操作は不要となり、操作ミスなどによる光源交換作業時の作業者感電の危険性が回避できる。
【図面の簡単な説明】
【００１３】
【図１】本発明の実施形態１に係る照明装置の例を示す概略図で、（ａ）は光源を装着位置から取り外した状態の照明装置を示す図、（ｂ）は光源を装着位置に取り付けた状態の照明装置を示す図である。
【図２】実施形態１に係る照明装置を構成する点灯装置の例を示す回路ブロック図である。
【図３】実施形態１の変形例１に係る照明装置の例を示す概略図で、（ａ）は光源を装着位置から取り外した状態の照明装置を示す図、（ｂ）は光源を装着位置に取り付けた状態の照明装置を示す図である。
【図４】実施形態１の変形例２に係る照明装置の例を示す概略図で、（ａ）は光源を装着位置に取り付ける直前の状態の照明装置を示す図、（ｂ）は光源を装着位置に取り付けた状態の照明装置を示す図である。
【図５】実施形態１の変形例３に係る照明装置の例を示す概略図で、（ａ）は光源を装着位置から取り外した状態の照明装置を示す図、（ｂ）は光源を装着位置に取り付けた状態の照明装置を示す図である。
【図６】実施形態１の変形例３に係る照明装置を構成する点灯装置の例を示す回路ブロック図である。
【図７】実施形態１の変形例４に係る照明装置の例を示す概略図で、（ａ）は光源を交換するために扉を開いた状態の照明装置を示す図、（ｂ）は光源を装着位置に取り付け扉を閉めた状態の照明装置を示す図である。
【図８】本発明の実施形態２に係る照明装置を構成する点灯装置の例を示す回路図である。
【発明を実施するための形態】
【００１４】
（実施形態１）
図１は本発明の実施形態１に係る照明装置の例を示す概略図である。図１（ａ）は光源２を装着位置から取りはずした状態の照明装置１を、図１（ｂ）は光源２を装着位置に取り付けた状態の照明装置１を示す図である。光源２の装着位置とは、照明装置１を使用する状態での光源２の設置位置のことを言う。図１の例では、取付面６設けられた凹部で形成されるスペース（破線で示す領域）を光源収納スペース７とし、この光源収納スペース７内で固定設置された状態での光源２の位置が光源２の装着位置となる。照明装置１は、光源２と、光源２に電流を供給し、その供給をＯＮ又はＯＦＦ状態にする点灯装置３と、光源２を収納するホルダ４と、点灯装置３から電源２への電流供給手段である給電線５とを備える。点灯装置３は、光源２への給電の電路（以下、給電電路と呼ぶ）をその外部から機械的に開閉することができる給電スイッチ３０を備える。ホルダ４には、給電線５の一端が接続されており、このホルダ４に光源２が収納されると光源２と接続線５とが電気的に接続される。給電線５は光源２への電流通電手段ともえる。
【００１５】
この照明装置１では、図１に示すように、光源２と点灯装置３とは取付面６の表裏に配置されている。取付面６は、例えば天井面や壁面等である。給電スイッチ３０は、図１（ａ）に示すように、点灯装置３内に設置され、その先端部は、装着状態の光源２と対向する位置で、点灯装置３から光源２の装着位置の方向に突き出ている。この先端部は、そこに点灯装置３の方向の力が加わると、点灯装置３内に入り込むように動き、先端部が所定の距離入り込むことにより、給電スイッチ３０は開状態から閉状態となる。また、この力が解除されるとこの先端部は、内蔵するバネなどの力により元の突き出た位置に戻り、給電スイッチ３０は開状態となる。図１（ａ）では給電スイッチ３０の先端部には力が加わっておらず、先端部が点灯装置３から突き出ており、このとき給電スイッチ３０は開状態である。図１（ｂ）では光源２が収納されたホルダ４の外面により、給電スイッチ３０の先端部が押されて点灯装置３内に所定の距離入り込んでおり、このとき給電スイッチ３０は閉状態である。
【００１６】
図２は実施形態１に係る照明装置１を構成する点灯装置３の例を示す回路ブロック図である。図２には照明装置１と電源１０、及び照明装置１を構成する光源２と、点灯装置３と、給電線５とが示されている。点灯装置３は、電源１０（交流電源）から入力された交流電力を直流に整流する整流回路部３１と、整流回路部３１からの出力を制御して所定の電流を生成し、出力端３３を介して出力する電流制御部３２と、電源１０および電流制御部３２の間の給電電路に配置され、給電電路を開閉する給電スイッチ３０とを備えている。図１（ａ）に示す状態のときは給電スイッチ３０は開の状態で、図１（ｂ）に示す状態のときは給電スイッチ３０は閉の状態である。給電スイッチ３０が閉の状態のときは、点灯装置３から出力端３３と給電線５とを介して光源２に電流が供給され、光源２はＯＮ状態になり、給電スイッチ３０が開の状態のときは、光源２に電流が供給されず、光源２はＯＦＦ状態になる。点灯装置３は、通常の光源利用に伴う光源２のＯＮ、ＯＦＦ機能とは別に、給電スイッチ３０の開閉により光源２への電流供給をＯＦＦ、ＯＮ状態にする機能を有する。
【００１７】
図１の例では、光源２はホルダ４に収納されている。このホルダ４は、その一端に、取付面６に対して回転自在に固定された回転支持部Ａ８を有する。図１（ａ）に矢印で示すように、光源２の装着位置への着脱は回転支持部Ａ８を中心としたホルダ４の回転を利用しておこなう。給電スイッチ３０の開閉も、このホルダ４の回転を利用して、ホルダ４の外面で給電スイッチ３０の先端部を押す、又は先端部から離すことにより行う。なお、回転支持部Ａ８は取付面６から取り外しできないように固定されていてもよいし、着脱可能に取り付けられていて、一旦装着すれば回転支持部Ａ８の位置が固定されるようにしてもよい。ホルダ４の回転支持部Ａ８とは反対側の端部については、その近傍の取付面６に支持体９を設け、ホルダが図１（ｂ）の位置に来たときに、支持体９を移動させてホルダ４の他端を支持する。これによりホルダ４を介して、光源収納スペース７内に光源２を固定設置することができる。この状態のとき光源２は装着位置にある。
【００１８】
ホルダ４と点灯装置３の出力端３３とは給電線５で接続されている。ホルダ４内に光源２が収納されると、点灯装置３の出力端３３と光源２とが給電線５を介して電気的に接続される。給電スイッチ３０が閉になると、この給電線５を介して点灯装置３から光源２に電流が供給される。
【００１９】
照明装置１は以上のように構成されているため、光源２の交換作業に際して、光源２が装着位置にあるかないかに連動して、給電スイッチ３０が開閉し、点灯装置３内の光源２への給電電路が開閉するため、特別の操作をすることなく、光源２への電流供給が自動的にＯＦＦ、ＯＮ状態にされる。そのため、光源２の交換作業時には確実に光源２への電流供給がＯＦＦ状態になり、作業者の感電の危険性がなくなる。併せて、光源２を装着位置に取り付けることで光源２への電流供給が自動的にＯＮ状態になるので、簡単な構成で光源交換時の光源２の自動復帰が可能となる。
【００２０】
図３は実施形態１の変形例１に係る照明装置１の例を示す概略図である。図３（ａ）は光源２を装着位置から取りはずした状態の照明装置１を、図３（ｂ）は光源２を装着位置に取り付けた状態の照明装置１を示す図である。図１に示す例との違いはホルダ３が回転支持部Ａ８を有しておらず、ホルダ４全体を装着位置から着脱できる構成になっている点である。そのため、ホルダ４は回転支持部Ａ８ではなく、ホルダ４の両端で支持体９により支持されている。その他については図１の場合と同じである。このような構成でも、図１に示す構成の場合と同様の効果が期待できる。
【００２１】
図４は実施形態１の変形例２に係る照明装置１の例を示す概略図である。図４（ａ）は光源２を装着位置に取り付ける直前の状態の照明装置１を、図４（ｂ）は光源２を装着位置に取り付けた状態の照明装置１を示す図である。ホルダ４内に収納されている光源２、および給電線５については図示を省略している。図１に示す例との違いはホルダ４が回転支持部Ａ８ではなく回転支持部Ｂ５０を有していることである。取付面６には回転支持部Ｂ５０を着脱可能に取り付ける固定支持部が設置されているが図では省略されている。ホルダ４は、回転支持部Ｂ５０を介して、取付面６の固定支持部に着脱可能に装着（仮装着と呼ぶ）できる。給電線５は取付面６の固定支持部の人が触れない位置に接続されており、回転支持部Ｂ５０を取付面６の固定支持部に仮装着すると給電線５が回転支持部Ｂ５０を介してホルダ４に挿入されている光源２の受電端に電気的に接続される構成となっている（図示省略）。ホルダ４は、仮装着後、回転支持部Ｂ５０を中心に、取付面６に平行な面内で回転可能となっている。
【００２２】
図４（ａ）では、光源２を収納しているホルダ４が、給電スイッチ３０の先端部が突き出ているところを避ける位置で、回転支持部Ｂ５０を介して取付面６に仮装着されている。仮装着後、ホルダ４は図４（ａ）の上の図の回転支持部Ｂ５０近傍にある細線矢印で示す方向に回転支持部Ｂ５０を中心として回転可能となっている。図４（ａ）の下の図（Ｂ−Ｂ’断面図）のホルダ４に付した矢印はこの回転によりホルダ４が給電スイッチ３０の突き出た先端部に向かって移動することを示している。また、このＢ−Ｂ’断面図に示すように給電スイッチ３０の先端部は、回転によりホルダ４が移動してくる方向に対して斜めに切り欠かれている。この切り欠き部にホルダ４の側面が押しつけられると、この先端部には給電スイッチ３０を点灯装置３内に押し込む方向の力が働く。そのため、ホルダ４の回転に伴い給電スイッチ３０は点灯装置３内に押し込まれていく。この回転によって光源２が装着位置にきたときの状態を示したのが図４（ｂ）である。ホルダ４は給電スイッチ３０の突き出た先端部を完全に覆った位置にある。この時、給電スイッチ３０は点灯装置３内に最も押し込まれた状態にあり、給電スイッチ３０は閉となる。この状態で回転支持部Ｂ５０の回転に対してロックが掛かるようにしておけば光源２はこの位置で固定される。このような構成でも、図１に示す構成の場合と同様の効果が期待できる。
【００２３】
図５は実施形態１の変形例３に係る照明装置１の例を示す概略図で、図５（ａ）は光源２を装着位置から取りはずした状態の照明装置１を、図５（ｂ）は光源２を装着位置に取り付けた状態の照明装置１を示す図である。図６は実施形態１の変形例３に係る照明装置１を構成する点灯装置３の例を示す回路ブロック図である。図３に示す変形例１との違いは光源２への電流供給を給電線５を介さずに非接触給電にしたことである。そのため、図６に示すように、点灯装置３は無線で電流を供給するための非接触給電部６０を備え、ホルダ４は非接触給電部６０から受電するための非接触受電部６１を備えている。ここでは、非接触給電部６０と非接触受電部６１とで電流通電手段が構成される。その他については図３の場合と同じである。このような構成でも、図３に示す構成の場合と同様の効果が期待でき、更に給電線５を省くことができるため、光源２を交換するとき、給電線５の長さに伴うホルダ４の位置の制約がなくなり交換作業が楽になる。
【００２４】
以上の実施形態１およびその変形例では光源２を収納したホルダ４を介して給電スイッチ３０の開閉を行うとした。しかし、光源２自体がある程度の機械的強度を有する場合は、ホルダ４を省くことができる。ホルダ４を使用せず光源２を直接装着位置に取り付ける場合であっても、ホルダ４を光源２と読み替えることにより本実施形態１およびその変形例は実施可能である。それぞれの例において、回転支持部Ａ８、回転支持部Ｂ５０、または非接触受電部６１は光源２に直接装着することになる。このようにしても、これまで説明した効果と同様の効果を期待することができる。
【００２５】
図７は実施形態１の変形例４に係る照明装置１の例を示す概略図である。変形例４では、給電スイッチ３０の開閉は、光源２を交換する際に、必ず動かさなければならない可動構造体の動きに連動している。図７の例では光源２を収納するスペースに扉７０を設け、給電スイッチ３０の開閉が扉７０の開閉に連動するように給電スイッチ３０が配置される。点灯装置３は、給電スイッチ３０がこのような位置に来るように配置される。この扉７０は光源２の交換時には必ず開閉しなければならない可動構造体である。図７（ａ）は光源２を交換するために扉７０を開いた状態の照明装置１を、図７（ｂ）は光源２を装着位置に取り付け扉７０を閉めた状態の照明装置１を示す図である。図７（ａ）の矢印の方向が扉７０の開閉方向である。点灯装置３と光源２との間の配置、及び給電スイッチ３０の先端部の突き出ている方向がこれまでの配置と異なっているのは、扉７０の開閉に給電スイッチ３０の開閉を連動させるためである。なお、この変形例では照明装置１は扉７０を含む。
【００２６】
この扉７０は、取付面６に平行な面内で回転又は平行移動により開閉してもよい。このときは給電スイッチ３０の先端部に図４に示すような切り欠き部を設けて、扉７０の動きにより給電スイッチ３０の先端部と扉７０の側面とが接触することで給電スイッチ３０を開閉することができる。
【００２７】
このように、給電スイッチ３０の開閉を、光源２を交換するためには必ず動かさなければならない可動構造体の動きに連動させることにより、光源２の交換作業の際、電源１０からの給電が自動的にＯＦＦ／ＯＮにされる。そのため、光源交換に伴う操作が簡略化され、電源１０からの給電のＯＦＦ／ＯＮに伴う操作ミスの発生も防止でき、交換作業時の感電の危険性もなくなる。更に、簡単な構成で光源２の自動復帰が可能となる。なお、ホルダ４を採用している場合は、ホルダ４を光源２と交換するためには必ず動かさなければならない可動構造体と考えてもよい。
【００２８】
図２、図６の給電スイッチ３０は、電源１０と整流回路部３１との間の給電電路に設置されているが、電源１０と電流制御部３２との間の給電電路であればどこに設置されてもよい。また、給電スイッチ３０は、点灯装置３から離れた位置に設置されていてもよい。
【００２９】
なお、本実施形態にかかる光源２は、交換が前提とされているだけであり、発光素子で構成された光源に限らず、どのような光源であってもよい。
【００３０】
（実施形態２）
図８は本発明の実施形態２に係る照明装置１を構成する点灯装置３の例を示す回路図である。図８において、図１と同じ符号を付した部分は図１と同内容である。整流回路部３１は、より具体的にブリッジ整流回路３１０とし、電流制御部３２は、入力平滑用コンデンサ３２０、ダイオード３２１、チョークコイル３２２、出力平滑用コンデンサ３２３、電界効果トランジスタ（ＦＥＴ＝Ｆｉｅｌｄ  Ｅｆｆｅｃｔ  Ｔｒａｎｓｉｓｔｏｒ）３２４、集積回路（ＩＣ）３２５、電流検出用抵抗３２６、及び放電用回路３２７を備える。
【００３１】
図８に示す回路では、従来の照明装置１を構成する点灯装置３に、実施形態１で説明した給電スイッチ３０を追加し、出力平滑用コンデンサ３２３に並列に放電用回路３２７を接続した。実施形態２にかかる照明装置１は、発光素子で構成された光源２に対して電流を供給する点灯装置３において出力平滑用コンデンサ３２３が備えられているものを対象とする。
【００３２】
動作について説明する。整流回路部３１で整流された電圧は入力平滑用コンデンサ３２０で平滑化され、更に出力平滑用コンデンサ３２３とチョークコイル３２２とで平滑化され、出力端３３から電流として出力される。集積回路（ＩＣ）３２５は電界効果トランジスタ（ＦＥＴ）３２４のゲート電圧を制御してＦＥＴドレイン電流を調節することにより出力電流を制御する。
【００３３】
このような点灯装置３では、放電用回路３２７がない場合、光源２が交換のために取りはずされた状態では、給電スイッチ３０が開になって電源１０からの電力供給が停止されても、出力平滑用コンデンサ３２３に蓄積された電荷は放電されないことがある。しかし、このように出力平滑用コンデンサ３２３に蓄積された電荷が放電されないような回路構成を有している場合であっても、その点灯装置３において出力平滑用コンデンサ３２３と並列に放電用回路３２７を接続することにより、この放電用回路３２７を介して出力平滑用コンデンサ３２３に蓄積された電荷の放電が可能となる。放電後は、光源２を点灯装置３に再接続したときに光源２に過大電流が流れる恐れはなくなる。そのため、本実施形態によれば、点灯装置３が出力平滑用コンデンサ３２３を備えている場合でも、実施形態１で説明した給電スイッチ３０を備えた構成を有する照明装置１であることを前提に、簡単な構成で光源交換時の光源２の自動復帰が可能となり、その際の光源２への過大電流を抑えることができる。従って、過大電流が流れることによる発光素子の破壊を防ぐことができる。
【００３４】
放電用回路３２７の具体例として、最も簡単な例は抵抗素子である。放電用回路３２７として抵抗値Ｒの抵抗素子を接続すると、出力平滑用コンデンサ３２３の容量をＣとして、時定数ＲＣで蓄積電荷が放電される。
【００３５】
なお、実施形態２では、点灯装置３への電力投入によりＩＣ３２５がＦＥＴ３２４をＯＮ状態にするような動作をする場合には、光源２の交換時に、点灯装置３への電力投入の前に点灯装置３と光源２との間の電気的接続が完了している必要がある。このようにしないと、放電用回路３２７でいったん蓄積電荷が放電されても出力平滑用コンデンサ３２３には再度電荷が蓄積され、この蓄積電荷により光源２に過大電流が流れる危険性があるからである。実施形態１に示した給電スイッチ３０により給電電路を開閉する例はいずれもこの要求を満たしている。
【００３６】
なお、特許文献１、２のいずれも点灯時に光源への過大電流を防止する手段を開示している。しかし、特許文献１では、対象光源が放電ランプであり、光源には交流電圧が印加されている。そのため、過電流抑制回路は、供給電圧を交流化するための回路であるブリッジ回路の一点と電源回路負極側との間に接続されており、直流駆動である発光素子で構成された光源には適用できない。特許文献２では、短絡回路の応答を積分回路でなまらせて、その結果、短絡しない方の光源への電流の一時的急増を抑えるというものであり、出力平滑用コンデンサに蓄積された電荷の放電による過大電流を防止するというものではない。
【００３７】
本実施形態２では、給電スイッチ３０と、放電用回路３２７とを導入することにより光源自動復帰の際の出力平滑用コンデンサ３２３に起因する光源２への過大電流流入を回避することができる。
【００３８】
上記の実施形態の一部又は全部は、以下の付記のようにも記載されうるが、以下には限られない。
【００３９】
（付記１）光源と、
電源から電力の供給を受けて、所定の電流に制御して、前記光源に供給する電流制御部を備えた点灯装置と、
前記点灯装置の出力端から前記光源に前記生成された電流を供給する電流通電手段と、
前記光源の交換の前後に前記光源の交換に関連して位置を移動する可動構造体と、
前記電源と前記電流制御部との間の給電電路に設置され、前記可動構造体の動きと連動して開閉する給電スイッチと、
を備えていることを特徴とする照明装置。
【００４０】
（付記２）前記可動構造体は、前記光源を収納したホルダであることを特徴とする付記１に記載の照明装置。
【００４１】
（付記３）前記可動構造体は、前記光源の交換時に開閉される扉である、
ことを特徴とする付記１に記載の照明装置。
【００４２】
（付記４）前記電流通電手段は、
前記電流制御部に装備された非接触給電部と、
前記光源に装備された非接触受電部と、
で構成されるとともに、
前記非接触給電部と非接触受電部との間の無線給電可能な距離が、前記光源が装着位置にあるときの前記非接触給電部と前記非接触受電部との間の距離よりも大きなものである、
ことを特徴とする付記１乃至３のいずれか１項に記載の照明装置。
【００４３】
（付記５）前記光源は、発光素子で構成され、
前記電流制御部は、
前記出力端に接続された出力平滑用コンデンサと、
前記出力平滑用コンデンサに並列に接続された放電用回路と、
を備えることを特徴とする付記１乃至４のいずれか１項に記載の照明装置。
【００４４】
（付記６）前記放電用回路は、抵抗素子である、
ことを特徴とする付記５に記載の照明装置。
【００４５】
（付記７）電源から入力された電力に基づき所定の電流を生成する電流制御部を備えた点灯装置において、
前記電源と前記電流制御部との間の給電電路に設置された前記給電電路を開閉する給電スイッチを備え、
前記給電スイッチは、
前記点灯装置外に突き出た先端部を備え、前記先端部は、力が加えられると前記点灯装置内に入り込み、所定の距離入り込むことにより前記給電スイッチを閉状態にし、加えられた力がなくなると元の位置に戻ることにより前記給電スイッチを開状態にするように構成されている、
ことを特徴とする点灯装置。
【００４６】
（付記８）前記電流制御部は、
前記出力端に接続された出力平滑用コンデンサと、
前記出力平滑用コンデンサに並列に接続された放電回路と、
を備えたことを特徴とする付記７に記載の点灯装置。
【符号の説明】
【００４７】
１  照明装置
２  光源
３  点灯装置
４  ホルダ
５  給電線（電流通電手段）
６  取付面
７  光源収納スペース
８  回転支持部Ａ
９  支持体
１０  電源
３０  給電スイッチ
３１  整流回路部
３２  電流制御部
３３  出力端 
５０  回転支持部Ｂ
６０  非接触給電部
６１  非接触受電部
７０  扉
３１０  ブリッジ整流回路
３２０  入力平滑用コンデンサ
３２１  ダイオード
３２２  チョークコイル
３２３  出力平滑用コンデンサ
３２４  電界効果トランジスタ（ＦＥＴ）
３２５  集積回路（ＩＣ）
３２６  電流検出用抵抗
３２７  放電用回路
【図１】
2011216246.tif 000003
【図２】
2011216246.tif 000004
【図３】
2011216246.tif 000005
【図４】
2011216246.tif 000006
【図５】
2011216246.tif 000007
【図６】
2011216246.tif 000008
【図７】
2011216246.tif 000009
【図８】
2011216246.tif 000010